(57)【要約】【課題】記憶媒体にアクセスすることにより自装置に生じる熱や、自装置の消費電力を考慮した上で、適切な速度で記憶媒体にアクセスする電子機器を提供することを目的とする。【解決手段】本発明にかかる電子機器は、記憶媒体を着脱可能な電子機器であって、記憶媒体の特性を判定する判定手段と、記憶媒体に記憶されているデータを外部装置に転送する転送手段と、を備え、転送手段は、第１の速度と、第１の速度よりも高速な第２の速度で記憶媒体に記憶されているデータを外部装置に転送可能であり、判定手段の判定結果に応じて、いずれの転送速度で記憶媒体に記憶されているデータを外部装置に転送するかを決定する。【選択図】図１
2011100242.tif 000002
【特許請求の範囲】
【請求項１】
記憶媒体を着脱可能な電子機器であって、
前記記憶媒体の特性を判定する判定手段と、
前記記憶媒体に記憶されているデータを外部装置に転送する転送手段と、を備え、
前記転送手段は、
第１の速度と、前記第１の速度よりも高速な第２の速度で前記記憶媒体に記憶されているデータを外部装置に転送可能であり、
前記判定手段の判定結果に応じて、いずれの転送速度で前記記憶媒体に記憶されているデータを外部装置に転送するかを決定する、
電子機器。
【請求項２】
前記判定手段は、前記記憶媒体に対してデータの読み書きを行う際に消費する電力に関する情報である、
請求項１に記載の電子機器。
【請求項３】
前記転送手段は、
前記判定手段により消費電力が所定値以上であると判定された場合に、第１の速度で前記記憶媒体に記憶されているデータを外部装置に転送し、
前記判定手段により消費電力が所定値未満であると判定された場合に、第２の速度で前記記憶媒体に記憶されているデータを外部装置に転送する、
請求項２に記載の電子機器。
【発明の詳細な説明】
【技術分野】
【０００１】
本発明は電子機器に関し、特に、記憶媒体にデータを記録できる電子機器に関する。
【背景技術】
【０００２】
特許文献１は、アクセス速度が比較的高い記憶媒体と、アクセス速度が比較的遅い記憶媒体とを接続可能な信号転送装置を開示する。この信号転送装置は、アクセス速度が比較的高い記憶媒体が接続されている場合には、比較的高い転送レートで情報の転送を行う。一方、この信号転送装置は、アクセス速度が比較的低い記憶媒体が接続されている場合には、比較的低い転送レートで情報の転送を行う。
【０００３】
これにより、この信号転送装置は、接続される記憶媒体の種類に応じて、適切な情報転送速度を選択することができる。
【先行技術文献】
【特許文献】
【０００４】
【特許文献１】特開平１−１２８１６８号公報
【発明の概要】
【発明が解決しようとする課題】
【０００５】
しかしながら、上記特許文献が開示する信号転送装置は、記憶媒体の可能なアクセス速度が高い場合には、高いアクセス速度でアクセスする。従って、高いアクセス速度で記憶媒体にアクセスすることにより、信号転送装置に生じる熱や、消費電力等を考慮しているとはいえない。
【０００６】
本発明は、記憶媒体にアクセスすることにより自装置に生じる熱や、自装置の消費電力を考慮した上で、適切な速度で記憶媒体にアクセスする電子機器を提供することを目的とする。
【課題を解決するための手段】
【０００７】
上記課題を解決するために、本発明にかかる電子機器は、記憶媒体を着脱可能な電子機器であって、記憶媒体の特性を判定する判定手段と、記憶媒体に記憶されているデータを外部装置に転送する転送手段と、を備え、転送手段は、第１の速度と、第１の速度よりも高速な第２の速度で記憶媒体に記憶されているデータを外部装置に転送可能であり、判定手段の判定結果に応じて、いずれの転送速度で記憶媒体に記憶されているデータを外部装置に転送するかを決定する。
【発明の効果】
【０００８】
本発明によれば、記憶媒体にアクセスすることにより自装置に生じる熱や、自装置の消費電力を考慮した上で、適切な速度で記憶媒体にアクセスする電子機器を提供できる。
【図面の簡単な説明】
【０００９】
【図１】デジタルカメラ１００の構成を示すブロック図
【図２】実施の形態１の転送動作を説明するためのフローチャート
【図３】実施の形態２のメモリカードへのアクセス動作を説明するためのフローチャート
【図４】実施の形態３の転送動作を説明するためのフローチャート
【発明を実施するための形態】
【００１０】
〔１．実施の形態１〕
本発明をデジタルビデオカメラに適用した実施の形態１について図を用いて説明する。
【００１１】
〔１−１．概要〕
デジタルビデオカメラ１００は、メモリカード２４０に対してデータを記録できる。また、デジタルビデオカメラ１００は、メモリカード２４０からデータを読出し、ＵＳＢ２９０を介して、データを外部装置に転送できる。
【００１２】
デジタルビデオカメラ１００は、メモリカード２４０に対してデータを記録する際や、メモリカード２４０からデータを読み出す際に、比較的良好なアクセス速度でメモリカード２４０へとアクセスする。
【００１３】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０やＨＤＤ３００に格納される。また、メモリカード２４０やＨＤＤ３００に格納された画像データは、液晶モニタ２７０で表示可能である。以下、デジタルビデオカメラ１００の構成を詳細に説明する。
【００１４】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１５】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１６】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１７】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１８】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００１９】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２７０に表示するための画像データを生成したり、メモリカード２４０やＨＤＤ（ハードディスク、以下ＨＤＤと称する）３００に再格納するための画像データを生成したりする。例えば、画像処理部１９０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、ＭＰＥＧ２やＨ．２６４規格に準拠した圧縮形式等により画像データを圧縮する。画像処理部１９０は、ＤＳＰやマイコンなどで実現可能である。
【００２０】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２１】
メモリ２００は、画像処理部１９０及びコントローラー２１０のワークメモリとして機能する。メモリ２００は、例えば、ＤＲＡＭ、強誘電体メモリなどで実現できる。
【００２２】
液晶モニタ２７０は、ＣＣＤイメージセンサー１８０で生成した画像データが示す画像や、メモリカード２４０やＨＤＤ３００から読み出した画像データが示す画像を表示可能である。
【００２３】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２４】
カードスロット２３０は、メモリカード２４０を着脱可能である。カードスロット２３０は、機械的及び電気的にメモリカード２４０と接続可能である。
【００２５】
メモリカード２４０は、フラッシュメモリや強誘電体メモリなどを内部に含み、データを格納可能である。メモリカード２４０は、カードＩＦクロックの周波数が異なる複数の書込み・読出し速度（以下、アクセス速度と称する。）に対応可能である。具体的には、メモリカード２４０は、第１の速度（低速）と、第２の速度（高速）とに対応できる。高速なアクセス速度が選択されると、メモリカード２４０内部ではデータの読み出しや書込みの速度を速くするために、内蔵されている複数のメモリデバイス（例えばＮＡＮＤフラッシュメモリ）に対する同時アクセス処理が行われる。このため、データの読み出しや書込み速度が速くなる一方で、複数のメモリデバイスが同時動作するために、消費電力が高くなる。また、メモリカード２４０は、自装置が対応可能なアクセス速度に関する情報を記憶している。複数のアクセス速度に対応可能な場合には、メモリカード２４０は、複数のアクセス速度に関する情報を記憶する。また、メモリカード２４０は、自装置がデータの書込み・読出しを行う際の消費電力に関する情報を記憶する。
【００２６】
内部メモリ２８０は、フラッシュメモリや強誘電低メモリなどで構成される。内部メモリ２８０は、デジタルビデオカメラ１００全体を制御するための制御プログラム等を格納する。
【００２７】
操作部材２５０は、使用者から画像の撮像指示を受け付ける部材である。ズームレバー２６０は、使用者からズーム倍率の変更指示を受け付ける部材である。
【００２８】
ＵＳＢ２９０は、デジタルビデオカメラ１００とパソコン等の外部装置とを接続するためのインターフェースである。デジタルビデオカメラ１００は、ＵＳＢ２９０を介して、外部装置と動画像データ等のデータをやりとりすることができる。
【００２９】
ＨＤＤ３００は、デジタルビデオカメラ１００内に設けられた記憶媒体であり、データを格納可能である。
【００３０】
〔１−２−２．本発明との対応〕
コントローラー２１０は、本発明の判定手段の一例である。コントローラー２１０とＵＳＢ２９０とからなる構成は、本発明の転送手段の一例である。
【００３１】
〔１−３．転送動作〕
本発明にかかるデジタルビデオカメラ１００におけるメモリカード２４０からパソコン等の外部装置への動画像データの転送方法について図２を用いて説明する。図２はメモリカード２４０からパーソナルコンピュータ（以下、ＰＣと称する。）への動画像データの転送方法を説明するためのフローチャートである。
【００３２】
デジタルビデオカメラ１００と、ＰＣ（図示せず）とは、ＵＳＢ２９０を介して、ＵＳＢケーブルで接続できる。この状態で、使用者が操作部材２５０のうちのモード設定釦を操作することにより、デジタルビデオカメラ１００は、ＰＣ接続モードになる。ＰＣ接続モードでは、ＰＣとデジタルビデオカメラ１００とはＵＳＢマスストレージ接続される。この場合には、ＰＣがホストとなり、デジタルビデオカメラ１００がデバイスとなる。
【００３３】
使用者がＰＣ側で、デジタルビデオカメラ１００に装着されたメモリカード２４０に記憶されている動画像データの読み出し操作を行うと、コントローラー２１０は、動画像データの転送を開始する（Ｓ１００）。
【００３４】
動画像データの転送が開始されると、コントローラー２１０は、装着されているメモリカード２４０が高速アクセスに対応可能なメモリカードか否かを判断する（Ｓ１１０）。
【００３５】
高速アクセスに対応可能なカードではないと判断すると、コントローラー２１０は、メモリカード２４０へのアクセス速度を低速に設定する（Ｓ１２０）。アクセス速度を低速に設定すると、コントローラー２１０は、ホストからの転送要求があるか否かを判断する（Ｓ１３０）。ホストからの転送要求があると判断すると、コントローラー２１０は、メモリカード２４０から動画像データを読み出してＰＣ（ホスト）へ動画像データを転送する（Ｓ１４０）。所定量の動画像データ転送が完了すると、コントローラー２１０は、ＰＣ（ホスト）への動画像データ転送がすべて完了しているか否かを判断する（Ｓ１５０）。ホストへの動画像データ転送が全て完了していれば、転送を完了し（Ｓ１９２）、転送が完了していなければ、ホストからの新たな転送要求があるかを判断する（Ｓ１３０）。
【００３６】
一方、ステップＳ１１０でメモリカード２４０が高速アクセスに対応可能であると判断すると、コントローラー２１０はメモリカード２４０へのアクセス速度を高速に設定する（Ｓ１６０）。アクセス速度を高速に設定すると、コントローラー２１０は、ＰＣ（ホスト）からの転送要求がある否かを判断する（Ｓ１７０）。
【００３７】
ＰＣ（ホスト）からの転送要求があると判断すると、コントローラー２１０は所定時間処理待ちをするＷＡＩＴ処理を行う（Ｓ１８０）。ＷＡＩＴ処理を行った後に、コントローラー２１０は、メモリカード２４０から動画像データを読み出してＰＣ（ホスト）へ動画像データを転送する（Ｓ１９０）。所定量の動画像データ転送が完了した後に、コントローラー２１０は、ＰＣ（ホスト）への動画像データの転送がすべて完了しているか否かを判定する（Ｓ１９１）。ＰＣ（ホスト）への動画像データの転送が全て完了していれば、コントローラー２１０は、転送を完了し（Ｓ１９２）、転送が完了していなければ、ホストからの新たな転送要求があるかを判断する（Ｓ１３０）。
【００３８】
以上のように、本実施の形態にかかるデジタルビデオカメラ１００においては、高速のアクセスに対応可能なメモリカードが接続されている場合であって、メモリカードに記憶されている動画像データをＰＣ（ホスト）に転送する場合、ＰＣ（ホスト）からの動画像データの転送要求ごとに、所定のＷＡＩＴ処理を実行することとした。
【００３９】
これにより、転送要求ごとに所定の待ち時間が発生するために、ＷＡＩＴ処理を入れない場合と比較して、メモリカード２４０からの読み出し速度が低くなり、結果としてメモリカードの消費電力が下がり、メモリカードの発熱を低く抑えることが可能となる。
〔２．実施の形態２〕
次に、実施の形態２について図３を用いて説明する。なお、実施の形態１と同様の部分については説明を省略する。
【００４０】
〔２−１．メモリカードへのアクセス動作〕
本実施の形態にかかるデジタルビデオカメラ１００は、実施の形態１にかかるデジタルビデオカメラ１００とメモリカード２４０へのアクセス動作が異なる。以下、メモリカード２４０へのアクセス動作について図３を用いて説明する。図３は、メモリカードへのアクセス動作を説明するためのフローチャートである。
【００４１】
使用者により操作部材２５０が操作され、電源がＯＮされると、デジタルビデオカメラ１００は、待機モードへと移行する（Ｓ２００）。待機モードへと移行すると、コントローラー２１０は、装着されているメモリカード２４０が高速アクセスに対応可能なメモリカードか否かを判断する（Ｓ２１０）。
【００４２】
高速アクセスに対応可能なカードではないと判断すると、コントローラー２１０は、メモリカード２４０へのアクセスがあるか否かを判断する（Ｓ２２０）。メモリカード２４０へのアクセスがあると判断すると、コントローラー２１０は、メモリカード２４０へのアクセス速度を低速に設定する（Ｓ２３０）。
【００４３】
この場合には、メモリカード２４０が動画像データの記録・再生の際にアクセスされていても、動画像データの転送・コピーの際にアクセスされていても、メモリカード２４０は低速で動画像データのやりとりをする。ここで、動画像データの転送とは、デジタルビデオカメラ１００から、ＵＳＢ２９０を介して、パソコン等の外部装置に動画像データの転送をすることをいう。また、動画像データのコピーとは、メモリカード２４０に記憶されている動画像データをＨＤＤ３００にコピーすることや、ＨＤＤ３００に記憶されている動画像データをメモリカード２４０にコピーすることをいう。メモリカードへのアクセス速度が低速に設定されると、コントローラー２１０は、アクセス速度の選択を完了する（Ｓ２４０）。
【００４４】
一方、ステップＳ２１０で、高速アクセスに対応可能なカードであると判断すると、コントローラー２１０は、メモリカード２４０へのアクセスがあるか否かを判断する（Ｓ２５０）。メモリカード２４０へのアクセスがあると判断すると、コントローラー２１０は、デジタルビデオカメラ１００の動作モードを判断する（Ｓ２６０）。具体的には、コントローラー２１０は、デジタルビデオカメラ１００が記録もしくは再生モードであるか、転送もしくはコピーモードであるかを判断する。
【００４５】
動作モードが動画像データの記録・再生であると判断した場合には、コントローラー２１０は、メモリカード２４０へのアクセスを低速に設定する（Ｓ２７０）。メモリカード２４０へのアクセス速度が低速に設定されると、コントローラー２１０は、アクセス速度の選択を完了する（Ｓ２４０）。この場合、メモリカード２４０に対する記録・再生は低速で行われる。
【００４６】
一方、ステップＳ２６０で、動作モードが動画像データの転送・コピーであると判断すると、コントローラー２１０は、メモリカード２４０へのアクセスを高速に設定する（Ｓ２８０）。メモリカードへのアクセス速度が高速に設定されると、コントローラー２１０は、アクセス速度の選択を完了する（Ｓ２４０）。この場合、メモリカード２４０に対する動画像データの転送・コピーは高速で行われる。
【００４７】
以上のように、本実施の形態にかかるデジタルビデオカメラ１００は、動作モードが記録・再生モードであるか転送・コピーモードであるかに応じて、メモリカード２４０へのアクセス速度を変更している。具体的には、動作モードが記録・再生モードである場合には、低速でメモリカード２４０へアクセスする。また、動作モードが転送・コピーモードである場合には、高速でメモリカード２４０へアクセスする。このようにする理由について次に説明する。
【００４８】
記録・再生の際は、所定時間に必要とされるメモリカードへの転送量は、記録・再生する動画像データのデータレートによって決まる。従って、高速アクセスを行うメリットがない。また、記録・再生の際に高速な転送を行うと、メモリカードの消費電力が大きくなる。従って、バッテリーが早く消費され、動画像の記録時間が短くなる。また、メモリカードの発熱が大きくなる等のデメリットがある。
【００４９】
一方、動画像データの転送・コピーの際は、転送レートが早ければ早いほど処理時間が短縮されるために、出来るだけ早いアクセス速度を使用することにメリットがある。
〔３．実施の形態３〕
次に、実施の形態３について図４を用いて説明する。なお、実施の形態１と同様の部分については説明を省略する。
【００５０】
〔３−１。転送動作〕
本実施の形態にかかるデジタルビデオカメラ１００は、実施の形態１にかかるデジタルビデオカメラ１００とメモリカード２４０へのアクセス動作が異なる。以下、メモリカード２４０へのアクセス動作について図４を用いて説明する。図４は、メモリカードへのアクセス動作を説明するためのフローチャートである。
【００５１】
使用者により操作部材２５０が操作され、電源がＯＮされると、デジタルビデオカメラ１００は、待機モードへと移行する（Ｓ３００）。待機モードへと移行すると、コントローラー２１０は、装着されているメモリカード２４０が高速なアクセスに対応可能なメモリカードか否かを判断する（Ｓ３１０）。
【００５２】
高速なアクセスに対応可能なカードではないと判断すると、コントローラー２１０は、メモリカード２４０へのアクセス速度を低速に設定する（Ｓ３２０）。
【００５３】
メモリカードへのアクセス速度が低速に設定されると、コントローラー２１０は、アクセス速度のモード選択を完了する（Ｓ３６０）。
【００５４】
一方、ステップＳ３１０で、高速アクセスに対応可能なカードであると判断すると、コントローラー２１０は、装着されているメモリカード２４０の消費電力が所定値より高いか低いかを判断する（Ｓ３３０）。具体的には、コントローラー２１０は、メモリカード２４０内に格納されている消費電力情報を参照し、その情報と、予め記憶している所定値とを比較することによりこの判断を行う。
【００５５】
消費電力情報がメモリカード２４０内に格納されていなかったり、消費電力が所定値よりも高いカードであった場合には、コントローラー２１０は、メモリカード２４０へのアクセス速度を低速に設定する（Ｓ３４０）。メモリカードへのアクセス速度が低速に設定されると、コントローラー２１０は、アクセス速度の選択を完了する（Ｓ３６０）。この場合、メモリカード２４０に対するアクセスは低速で行われる。
【００５６】
一方、ステップＳ３３０で、消費電力が低いカードであると判断すると、コントローラー２１０は、メモリカード２４０へのアクセス速度を高速に設定する（Ｓ３５０）。メモリカード２４０へのアクセス速度を高速に設定すると、コントローラー２１０は、アクセス速度の選択を完了する（Ｓ３６０）。この場合、メモリカード２４０に対する動画像データのアクセスは高速で行われる。
【００５７】
以上のように、本発明は、メモリカードに記載されているアクセス速度情報に加えて、メモリカードに消費電力情報が記載されている場合は、アクセス速度情報と消費電力情報の両方をから使用するアクセス速度を決定する。
【００５８】
これにより、消費電力が所定値より高いメモリカードの場合は、低速アクセスを行うことでメモリカードの発熱を抑えることができる。
【００５９】
また、消費電力が所定値より低いメモリカードの場合は、高速アクセスを行うことでＰＣへの動画像データの転送などを早く処理することができる。
〔４．他の実施の形態〕
以上により、本発明の実施の形態として、実施の形態１を説明した。しかし、本発明は、これらには限定されない。そこで、本発明の他の実施の形態を本欄にまとめて説明する。
【００６０】
本実施の形態にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００６１】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００６２】
また、実施の形態１では、デジタルビデオカメラ１００とＰＣをＵＳＢマスストレージ接続するための操作として、ＵＳＢ端子２９０とＰＣがＵＳＢケーブルで接続された状態で、使用者が操作部材２５０を操作する場合について説明したが、本発明はこれに限定されない。例えばＵＳＢ端子２９０とＰＣがＵＳＢケーブルで接続されると、自動的にＵＳＢマスストレージ接続される構成でも本発明は適用可能である。
【００６３】
また、実施の形態１では、デジタルビデオカメラ１００とＰＣがＵＳＢマスストレージ接続された状態で動画像データをデジタルビデオカメラ１００に装着されたメモリカード２４０からＰＣへ転送する動作を例として説明したが、本発明はこれに限定されない。例えば、ＰＣからデジタルビデオカメラ１００に装着されたメモリカード２４０への転送についても本発明は適用可能である。
【００６４】
また、本実施の形態では、動画像データの記録・再生・転送・コピーを例に説明を行ったが、本発明はこれに限定されない。静止画データや、音声データを扱う場合についても適用可能である。さらに、デジタルビデオカメラ１００で記録・再生できないようなデータを転送・コピーする場合についても本発明は適用可能である。
【００６５】
また、本実施の形態では、メモリカード２４０が第１の速度（低速）と、第２の速度（高速）の２つのアクセス速度に対応している場合について説明したが、本発明はこれに限定されない。３つ以上のアクセス速度に対応している場合でも本発明は適用可能である。実施例２への適用の一例としては、低速側の設定は、記録・再生に必要な所定のアクセス速度を満たす中で一番低い速度とし、高速側の設定は、一番早いアクセス速度とする等の応用が可能である。
【産業上の利用可能性】
【００６６】
本発明は、デジタルビデオカメラやデジタルスチルカメラ等の電子機器に適用可能である。
【符号の説明】
【００６７】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011100242.tif 000003
【図２】
2011100242.tif 000004
【図３】
2011100242.tif 000005
【図４】
2011100242.tif 000006